(57)【特許請求の範囲】
【請求項１】
月のカレンダを表示させる制御を行うカレンダ表示制御手段と、
タッチ操作の位置を検出するタッチ検出手段と、
前記カレンダ表示制御手段により表示された月のカレンダについて、前記タッチ検出手段により検出された位置が、当該月のカレンダの日付に対応した位置であるか否かを検出する日付検出手段と、
前記月のカレンダが表示された状態で、前記タッチ検出手段により検出されたタッチ操作による手書き入力に対応した手書きデータを表示するように制御する手書きデータ表示制御手段と、
前記日付検出手段により前記月のカレンダの日付に対応した位置であると検出された場合に、前記手書きデータ表示制御手段により手書きデータが表示された後、前記日付データと前記手書きデータとを対応づけて記憶する日付手書きデータ記憶手段と、
この日付手書きデータ記憶手段により前記日付データと前記手書きデータとを対応づけて記憶した後に、特定の操作に応答して、前記手書きデータの表示のない月のカレンダを表示させるカレンダ初期表示制御手段と、
このカレンダ初期表示制御手段によりカレンダが表示された後に、この表示されたカレンダについて前記タッチ検出手段により検出された位置が、前記日付検出手段により当該カレンダの日付に対応した位置であると検出された場合に、この日付に対応する手書きデータを前記日付手書きデータ記憶手段から読み出し、カレンダ表示に合成して表示させる日付手書きデータ合成表示制御手段と、
を具備したことを特徴とする入力装置。
【請求項２】
さらに、
前記日付検出手段により前記月のカレンダの日付に対応した位置でないと検出された場合に、前記手書きデータ表示制御手段により手書きデータが表示された後、前記月のカレンダの月データと前記手書きデータとを対応づけて記憶する月手書きデータ記憶手段と、
前記カレンダ初期表示制御手段によりカレンダが表示された後に、前記タッチ検出手段により検出された位置が、前記日付検出手段により前記月のカレンダの日付に対応した位置でないと検出された場合に、前記月のカレンダの月データに対応する手書きデータを前記月手書きデータ記憶手段から読み出して、カレンダ表示に合成して表示させる月手書きデータ合成表示制御手段と、
を具備したことを特徴とする請求項１に記載の入力装置。
【請求項３】
さらに、
前記月のカレンダの月データとキー入力された文字・記号に対応するコードデータとを対応づけて記憶するコードデータ記憶手段と、
前記カレンダ初期表示制御手段によりカレンダが表示された後に、前記タッチ検出手段により検出された位置が、前記日付検出手段により前記月のカレンダの日付に対応した位置でないと検出された場合に、前記月のカレンダの月データに対応するコードデータを前記コードデータ記憶手段から読み出してそのフォントパターンを、カレンダ表示に合成して表示させるコードデータ合成表示制御手段と、
を具備したことを特徴とする請求項１又は請求項２記載の入力装置。
【発明の詳細な説明】
【０００１】
【産業上の利用分野】
本発明は、手書き入力されたデータを記憶し表示する入力装置に関する。
【０００２】
【従来の技術】
一般に、スケジュールやメモ等の個人データを記憶管理して表示する電子手帳では、該スケジュールデータの入出力やメモデータの入出力を行なうスケジュールモード，メモモード以外に、カレンダを表示させるカレンダモード、電話番号データの入出力を行なう電話番号モード、住所データの入出力を行なう住所録モード、計算処理を行なう計算機モード等、様々な動作モードよって制御される。
【０００３】
前記電子手帳は、各種のデータ入力を行なうためのひらがな，英数字，記号等の文字・記号入力キーやかな／漢字変換機能を備えており、このキー入力操作によってスケジュールやメモ等のデータを入力して内部のメモリに登録し、適宜検索表示できるようになっている。
【０００４】
また、最近では、表示画面にタブレット（タッチパネル）が重ねて設けられ、前記キー入力による文字・記号の入力を行なわなくても、手書きにより任意の文字，記号あるいは図形，イラスト等を入力できるようにした手書き入力式の電子手帳も実用化されている。
【０００５】
つまり、この手書き入力式の電子手帳は、前記スケジュールモードやメモモードにおいて、手書き入力したデータを、その手書きのままのイメージデータとして記憶管理し、使用者の指示により表示画面に表示され利用される。
【０００６】
【発明が解決しようとする課題】
しかしながら、前記従来の手書き入力機能を備えた電子手帳では、その手書き入力画面を、カレンダ表示画面等のその他の動作モードに伴なう表示画面と同時に利用できないため、手書きデータの利用用途が限られる問題がある。
【０００７】
本発明は、前記のような問題に鑑みなされたもので、手書き入力画面を、カレンダ表示画面等のその他の動作モードに伴なう表示画面と同時に利用することが可能になる入力装置を提供することを目的とする。
【０００８】
【課題を解決するための手段】
すなわち、本発明の請求項１に係わる入力装置は、月のカレンダを表示させる制御を行うカレンダ表示制御手段と、タッチ操作の位置を検出するタッチ検出手段と、前記カレンダ表示制御手段により表示された月のカレンダについて、前記タッチ検出手段により検出された位置が、当該月のカレンダの日付に対応した位置であるか否かを検出する日付検出手段と、前記月のカレンダが表示された状態で、前記タッチ検出手段により検出されたタッチ操作による手書き入力に対応した手書きデータを表示するように制御する手書きデータ表示制御手段と、前記日付検出手段により前記月のカレンダの日付に対応した位置であると検出された場合に、前記手書きデータ表示制御手段により手書きデータが表示された後、前記日付データと前記手書きデータとを対応づけて記憶する日付手書きデータ記憶手段と、この日付手書きデータ記憶手段により前記日付データと前記手書きデータとを対応づけて記憶した後に、特定の操作に応答して、前記手書きデータの表示のない月のカレンダを表示させるカレンダ初期表示制御手段と、このカレンダ初期表示制御手段によりカレンダが表示された後に、この表示されたカレンダについて前記タッチ検出手段により検出された位置が、前記日付検出手段により当該カレンダの日付に対応した位置であると検出された場合に、この日付に対応する手書きデータを前記日付手書きデータ記憶手段から読み出し、カレンダ表示に合成して表示させる日付手書きデータ合成表示制御手段と、を具備したことを特徴とする。
【０００９】
また、本発明の請求項２に係わる入力装置は、さらに、前記日付検出手段により前記月のカレンダの日付に対応した位置でないと検出された場合に、前記手書きデータ表示制御手段により手書きデータが表示された後、前記月のカレンダの月データと前記手書きデータとを対応づけて記憶する月手書きデータ記憶手段と、前記カレンダ初期表示制御手段によりカレンダが表示された後に、前記タッチ検出手段により検出された位置が、前記日付検出手段により前記月のカレンダの日付に対応した位置でないと検出された場合に、前記月のカレンダの月データに対応する手書きデータを前記月手書きデータ記憶手段から読み出して、カレンダ表示に合成して表示させる月手書きデータ合成表示制御手段と、を具備したことを特徴とする。
【００１０】
また、本発明の請求項３に係わる入力装置は、さらに、前記月のカレンダの月データとキー入力された文字・記号に対応するコードデータとを対応づけて記憶するコードデータ記憶手段と、前記カレンダ初期表示制御手段によりカレンダが表示された後に、前記タッチ検出手段により検出された位置が、前記日付検出手段により前記月のカレンダの日付に対応した位置でないと検出された場合に、前記月のカレンダの月データに対応するコードデータを前記コードデータ記憶手段から読み出してそのフォントパターンを、カレンダ表示に合成して表示させるコードデータ合成表示制御手段と、を具備したことを特徴とする。
【００１３】
【作用】
つまり、前記請求項１に係わる入力装置では、カレンダ表示制御手段によって月のカレンダが表示され、タッチ検出手段により検出された位置が、前記月のカレンダの日付に対応した位置であるか否かが日付検出手段によって検出される。また、手書きデータ表示制御手段によってタッチ操作による手書き入力に対応した手書きデータが表示される。そして、前記日付検出手段により前記月のカレンダの日付に対応した位置であると検出された場合は、前記手書きデータ表示制御手段により手書きデータが表示された後、日付手書きデータ記憶手段によって前記日付データと前記手書きデータとが対応づけられて記憶される。この日付手書きデータ記憶手段により前記日付データと前記手書きデータとを対応づけて記憶した後、カレンダ初期表示制御手段によって特定の操作に応答して、前記手書きデータの表示のない月のカレンダが表示された状態で、前記タッチ検出手段により検出された位置が、前記日付検出手段により前記月のカレンダの日付に対応した位置であると検出された場合には、日付手書きデータ合成表示制御手段によって、この日付に対応する手書きデータが前記日付手書きデータ記憶手段から読み出され、カレンダ表示に合成して表示される。
【００１４】
また、前記請求項２に係わる入力装置では、さらに、前記日付検出手段により前記月のカレンダの日付に対応した位置でないと検出された場合には、前記手書きデータ表示制御手段により手書きデータが表示された後、月手書きデータ記憶手段によって前記月のカレンダの月データと前記手書きデータとが対応づけられて記憶される。そして、前記カレンダ初期表示制御手段によりカレンダが表示された後に、前記タッチ検出手段により検出された位置が、前記日付検出手段により前記月のカレンダの日付に対応した位置でないと検出された場合には、月手書きデータ合成表示制御手段によって、前記月のカレンダの月データに対応する手書きデータが前記月手書きデータ記憶手段から読み出され、カレンダ表示に合成して表示される。
また、前記請求項３に係わる入力装置では、さらに、前記月のカレンダの月データとキー入力された文字・記号に対応するコードデータとを対応づけて記憶するコードデータ記憶手段を有し、前記カレンダ初期表示制御手段によりカレンダが表示された後に、前記タッチ検出手段により検出された位置が、前記日付検出手段により前記月のカレンダの日付に対応した位置でないと検出された場合には、コードデータ合成表示制御手段によって、前記月のカレンダの月データに対応するコードデータが前記コードデータ記憶手段から読み出され、そのフォントパターンが、カレンダ表示に合成して表示される。
【００１５】
【実施例】
以下図面により本発明の実施例について説明する。
図１は本発明の入力装置を実施した電子手帳の電子回路の構成を示すブロック図である。
【００１６】
この電子手帳はＣＰＵ１１を備えている。
前記ＣＰＵ１１は、キー入力部１２からのキー入力信号あるいはタブレット入力部１３からの手書き入力信号に応じて、ＲＯＭ１４に予め記憶されているシステムプログラムを起動させ、回路各部の動作制御を実行するもので、このＣＰＵ１１には、前記キー入力部１２，タブレット入力部１３，ＲＯＭ１４の他、ＲＡＭ１５，手書きＶＲＡＭ１６，ＶＲＡＭ１７が接続される。
【００１７】
また、前記ＣＰＵ１１には、表示駆動回路１８を介して液晶表示部１９が接続される。
前記キー入力部１２には、電源の投入／遮断を行なうＯＮ／ＯＦＦキーや動作モードの切換えキーの他、ひらがな，英数字，記号の入力やかな／漢字変換を行なうための文字・記号入力キー１２ａが備えられる。
【００１８】
また、前記キー入力部１２には、メモモードやカレンダモードにおいて入力されたデータを前記ＲＡＭ１５内に記憶させ登録する際に操作される「入力」キー１２ｂ、カレンダモードにおいて指定された日付のスケジュールデータを前記ＲＡＭ１５から読出して表示させる際に操作される「出力」キー１２ｃ、メモモードではＲＡＭ１５内に記憶されたメモデータの検索キーとして機能しカレンダモードではカレンダ月の切換えキーとして機能する「↑」キー１２ｄ及び「↓」キー１２ｅ、カレンダモードではＲＡＭ１５内に記憶された手書きスケジュールデータの検索キーとして機能する「→」キー１２ｆ及び「←」キー１２ｇ、メモモードではＲＡＭ１５内に記憶された手書きスケジュールデータの検索キーとして機能しカレンダモードではＲＡＭ１５内に記憶された手書きメモデータの検索キーとして機能する「▽」キー１２ｈ及び「△」キー１２ｉ等、各種の機能キーが備えられる。
【００１９】
前記タブレット入力部１３は、前記液晶表示部１９の表示画面に重ねて設けられたタッチパネルからなり、ユーザのタッチ操作位置に対応する電圧信号を出力するもので、このタブレット入力部１３から出力された電圧信号はＣＰＵ１１に供給され前記タッチ操作位置に対応する表示画面上のＸ，Ｙ方向の座標データに変換される。
【００２０】
これにより、前記液晶表示部１９上でのタッチ操作に対応する入力位置が検出され、手書きによる入力軌跡の表示が行なわれる。
前記ＲＯＭ１４には、ＣＰＵ１１を制御動作させるためのシステムプログラムが予め記憶されると共に、メモモードやカレンダモード等の各種動作モードに応じたサブプログラムが記憶される。
【００２１】
なお、カレンダモードの起動により表示されるカレンダは、前記サブプログラムの一部として予め記憶されたカレンダ生成プログラムにより、現在の年月日，曜日に応じて生成表示される。
【００２２】
図２は前記電子手帳のＲＡＭ１５に備えられるレジスタの構成を示す図である。
前記ＲＡＭ１５には、図２（Ａ）に示すように、現在の設定動作モードを示すモードデータがセットされるモードデータレジスタＭ、ＣＰＵ１１に内蔵されるタイマの動作に従って現在の年月日，曜日及び時刻データが順次更新されて記憶される日付レジスタ１５ａ及び時刻レジスタ１５ｂ、スケジュールモードやカレンダモードにおいて入力されたスケジュールデータがその年月日データと対応付けられて記憶されるスケジュールデータレジスタ１５ｃ、メモモードにおいて入力されたメモデータが記憶されるメモデータレジスタ１５ｄが備えられる。
【００２３】
ここで、前記スケジュールデータレジスタ１５ｃにその年月日データに対応して記憶されるスケジュールの内容データは、前記文字・記号入力キー１２ａを用いてキー入力された場合は、入力された文字・記号に対応するコードデータの配列として記憶され、また、前記タブレット入力部１３を用いて手書き入力された場合は、その手書きによるスケジュールデータが記憶されるスケジュール用手書きデータＲＡＭ１５ｅ［図２（Ｂ）参照］のアドレスデータデータとして記憶される。
【００２４】
さらに、前記メモデータレジスタ１５ｄに記憶されるメモの内容データは、前記文字・記号入力キー１２ａを用いてキー入力された場合は、入力された文字・記号に対応するコードデータの配列として記憶され、また、前記タブレット入力部１３を用いて手書き入力された場合は、その手書きによるメモデータが記憶されるメモ用手書きデータＲＡＭ１５ｆ［図２（Ｂ）参照］のアドレスデータとして記憶される。
【００２５】
前記手書きＶＲＡＭ１６は、液晶表示部１９の表示領域と同一のビットマップデータの記憶領域を有し、前記タブレット入力部１３により入力された手書きデータや、前記スケジュール用手書きデータＲＡＭ１５ｅあるいはメモ用手書きデータＲＡＭ１５ｆから読出された手書きデータが被表示データとして書込まれるもので、この手書きＶＲＡＭ１６に書込まれた手書きデータは、一旦、ＶＲＡＭ１７に転送されて液晶表示部１９に表示される他、該手書きデータ以外の被表示データが存在する場合には、このＶＲＡＭ１７にて手書きデータと合成されて液晶表示部１９に表示される。
【００２６】
前記液晶表示部１９には、前記キー入力部１２からのキー入力データや前記タブレット入力部１３からの手書き入力データが表示される他、前記ＲＡＭ１５から検索されて読出されたスケジュールデータやメモデータ、あるいはカレンダモードにおいて生成されたカレンダデータ等が、各対応する動作モードとユーザ操作に応じて逐次表示される。
【００２７】
次に、前記構成による入力装置を実施した電子手帳の動作について説明する。
図３は前記電子手帳におけるメモモード処理を示すフローチャートである。
キー入力部１２のモード切換えキー（図示せず）を操作してメモモードを設定すると、メモデータの入力を促すメモデータ要求メッセージ「メモ？」が液晶表示部１９に表示される（ステップＳ１）。
【００２８】
ここで、キー入力部１２の「↑」キー１２ｄ又は「↓」キー１２ｅを操作すると、ＲＡＭ１５内のメモデータレジスタ１５ｄに記憶されているメモデータがそのキー操作に応じて選択的に検索され液晶表示部１９に表示される（ステップＳ２→Ｓ３）。
【００２９】
この場合、検索されたメモデータがコードデータの配列である場合には、該コードデータに対応してＲＯＭ１４から読出されたフォントパターンがＶＲＡＭ１７に展開されて液晶表示部１９に表示される。
【００３０】
また、検索されたメモデータがメモ用手書きデータＲＡＭ１５ｆのアドレスデータである場合には、該アドレスが示すメモ用手書きデータＲＡＭ１５ｆから読出された手書きデータが手書きＶＲＡＭ１６に書込まれると共に、ＶＲＡＭ１７に転送展開され液晶表示部１９に表示される。
【００３１】
一方、「▽」キー１２ｈ又は「△」キー１２ｉを操作すると、ＲＡＭ１５内のスケジュール用手書きデータＲＡＭ１５ｅのアドレスに記憶されている手書きのスケジュールデータがそのキー操作に応じて選択的に検索され液晶表示部１９に表示される（ステップＳ４→Ｓ５）。
【００３２】
この場合、スケジュール用手書きデータＲＡＭ１５ｅから読出された手書きスケジュールデータは、手書きＶＲＡＭ１６に書込まれると共に、ＶＲＡＭ１７に転送展開され液晶表示部１９に表示される。
【００３３】
一方、タブレット入力部１３において所望のメモデータを手書き入力すると、ＣＰＵ１１によりその入力位置が判断され、その入力軌跡に対応した手書きデータが前記手書きＶＲＡＭ１６に書込まれると共に、ＶＲＡＭ１７に転送展開され液晶表示部１９に表示される（ステップＳ６→Ｓ７）。
【００３４】
こうして、前記メモデータレジスタ１５ｄに記憶されたメモデータを検索表示させた状態、あるいはスケジュール用手書きデータＲＡＭ１５ｅから読出された手書きスケジュールデータを検索表示させた状態、あるいはタブレット入力部１３により新たな手書きデータを入力表示させた状態で、キー入力部１２の「入力」キー１２ｂを操作すると、その時点で液晶表示部１９に表示されている表示データがＶＲＡＭ１７から読出されメモデータレジスタ１５ｄに新たに記憶される（ステップＳ８→Ｓ９）。
【００３５】
この場合、手書きＶＲＡＭ１６に書込まれて表示されている手書きデータは、メモ用手書きデータＲＡＭ１５ｆに書込まれ、その書込みアドレスが前記メモデータレジスタ１５ｄに記憶される。
【００３６】
すなわち、前記メモモード処理では、既に記憶されていたメモデータや手書きスケジュールデータ、そして、新たに入力された手書きデータを、自在に合成して新たなメモデータとして記憶させることができる。
【００３７】
図４は前記電子手帳におけるカレンダモード処理を示すフローチャートである。
図５は前記電子手帳におけるカレンダモード処理に伴なう表示動作を示す図である。
【００３８】
キー入力部１２のモード切換えキー（図示せず）を操作してカレンダモードを設定すると、ＲＡＭ１５内の日付レジスタ１５ａに記憶されている現在の年月日，曜日に応じて当月のカレンダが生成されてＶＲＡＭ１７に展開され、図５（Ａ）に示すように、液晶表示部１９に表示される（ステップＡ１）。
【００３９】
ここで、前記液晶表示部１９に表示されたカレンダにおいて、ＲＡＭ１６内のスケジュールデータレジスタ１５ｃに記憶されているスケジュールデータの年月日データと一致する日付が存在する場合には、その日付部分は反転されて表示される（ステップＡ２）。
【００４０】
そして、キー入力部１２の「↑」キー１２ｄ又は「↓」キー１２ｅを操作すると、そのキー操作に対応して前月又は来月のカレンダが生成されてＶＲＡＭ１７に展開され、液晶表示部１９に表示される（ステップＡ３→Ａ４）。
【００４１】
こうして、任意の年月のカレンダが表示された状態で、タブレット入力部１３により手書きによる入力操作を行なうと、その手書き入力位置がＣＰＵ１１にて判断され、その入力軌跡が手書きＶＲＡＭ１６に書込まれると共に、カレンダデータが展開されているＶＲＡＭ１７に転送され、該カレンダの表示画面に合成されて液晶表示部１９に表示される（ステップＡ５→Ａ６）。
【００４２】
ここで、例えば図５（Ｂ）に示すように、９４年４月１０日の位置に、前記タブレット入力部１３により“×”マークを手書き入力すると、その手書きによる“×”マークがカレンダの日付に対応して描画されたことが判断され、当該“×”マークにより指定された日付部分“１０”が反転点滅表示される（ステップＡ７→Ａ８→Ａ９）。
【００４３】
一方、前記手書きによる“×”マークがカレンダの日付上でなく、月に対応して描画されたと判断された場合には、その月（例えば９４年４月）に対応する全てのスケジュールデータがＲＡＭ１５内のスケジュールデータレジスタ１５ｃから読出され、液晶表示部１９に対し既に表示されているカレンダ画面に合成されて表示される（ステップＡ７→Ａ８→Ａ１０→Ａ１１）。
【００４４】
この場合、前記スケジュールデータレジスタ１５ｃから読出されたスケジュールデータがコードデータの配列である場合には、該コードデータに対応してＲＯＭ１４から読出されたフォントパターンが、カレンダデータが展開されているＶＲＡＭ１７に展開合成されて液晶表示部１９に表示される。
【００４５】
また、前記スケジュールデータレジスタ１５ｃから読出されたスケジュールデータがスケジュール用手書きデータＲＡＭ１５ｅのアドレスデータである場合には、該アドレスが示すスケジュール用手書きデータＲＡＭ１５ｅから読出された手書きスケジュールデータが手書きＶＲＡＭ１６に書込まれると共に、前記カレンダデータが展開されているＶＲＡＭ１７に転送されて展開合成され液晶表示部１９に表示される。
【００４６】
そして、前記ステップＡ５→Ａ６におけるタブレット入力による手書き軌跡の表示処理を繰返し、例えば図５（Ｂ）に示すように、９４年４月１０日に対応する手書きスケジュールデータをカレンダ画面上に合成表示させた状態で、キー入力部１２における「入力」キー１２ｂを操作すると、そのとき液晶表示部１９上での点滅表示によりスケジュール入力が指定されている日付があることが判断され、その指定日付データ（９４年４月１０日）と共に手書き入力により合成表示されたスケジュールデータが手書きＶＲＡＭ１６から読出され、ＲＡＭ１５内のスケジュールデータレジスタ１５ｃに対し、日付データ順にソートされて記憶される（ステップＡ１２→Ａ１３→Ａ１４）。
【００４７】
この場合、前記手書きＶＲＡＭ１６から読出された手書きによるスケジュールデータはスケジュール用手書きデータＲＡＭ１５ｅに記憶され、その書込みアドレスが前記スケジュールデータレジスタ１５ｂに対し日付データと共に記憶される。
【００４８】
すると、液晶表示部１９に反転点滅されて表示されているカレンダ上の日付部分は、反転はされたままその点滅が停止され、当該日付に対応してスケジュールが登録されたことが示される（ステップＡ１５）。
【００４９】
一方、前記キー入力部１２における「入力」キー１２ｂを操作した際に、液晶表示部１９上での点滅表示によりスケジュール入力が指定されている日付はないことが判断された場合には、そのとき液晶表示部１９上でカレンダ画面と共に合成表示されている手書きデータが手書きＶＲＡＭ１６から読出され、ＲＡＭ１５内のスケジュールデータレジスタ１５ｃに対し、その月（４月）のスケジュールデータとして月データ順にソートされて記憶される（ステップＡ１２→Ａ１３→Ａ１６）。
【００５０】
この場合も、前記手書きＶＲＡＭ１６から読出された手書きデータはスケジュール用手書きデータＲＡＭ１５ｅに記憶され、その書込みアドレスが前記スケジュールデータレジスタ１５ｂに対し月データと共に記憶される。
【００５１】
すなわち、前記カレンダモードにおけるスケジュールデータの入力処理では、任意の年月のカレンダ画面上に合成表示させた手書きデータを、その手書きデータの部分のみ手書きＶＲＡＭ１６から読出してスケジュールデータとして記憶させることができる。
【００５２】
こうして、例えば前記図５（Ｂ）で示したように、液晶表示部１９に表示させたカレンダ画面上にて合成表示させた手書きによるスケジュールデータを、スケジュールデータレジスタ１５ｃにて記憶管理させた状態で、図５（Ｃ）に示すように、一旦、電源をＯＦＦした後に、再度電源をＯＮしてカレンダモードを設定すると、ＲＡＭ１５内の日付レジスタ１５ａに記憶されている現在の年月日，曜日に応じて当月のカレンダが生成されてＶＲＡＭ１７に展開され、液晶表示部１９に表示される（ステップＡ１）。
【００５３】
この場合、前記液晶表示部１９に表示されたカレンダにおいて、ＲＡＭ１６内のスケジュールデータレジスタ１５ｃに記憶されているスケジュールデータの年月日データ（９４年４月１０日）と一致する日付が存在するので、その日付部分が反転されて表示される（ステップＡ２）。
【００５４】
このように、前記スケジュールデータの入力処理において、スケジュールデータレジスタ１５ｃに記憶させたスケジュールの存在する年月日（９４年４月１０日）がカレンダ上で反転して示される状態で、このスケジュールの内容を見るために、タブレット入力部１３により前記反転表示されている日付部分に手書きにて“×”マークを入力して表示させると、該“×”マークに対応する指定日付部分“１０”が反転点滅表示される（ステップＡ５→Ａ６，Ａ７→Ａ８→Ａ９）。
【００５５】
そして、図５（Ｄ）に示すように、キー入力部１２における「出力」キー１２ｃを操作すると、前記タブレット入力部１３を介して“×”マークを手書き入力することにより反転点滅表示されている日付“１０”のあることが判断され、その年月日（９４年４月１０日）に対応したスケジュールデータがＲＡＭ１５内のスケジュールデータレジスタ１５ｃから読出され、既に表示されているカレンダと共に液晶表示部１９に表示される（ステップＡ１７→Ａ１８→Ａ１９）。
【００５６】
この場合、前記スケジュールデータレジスタ１５ｃにおける９４年４月１０日のスケジュールデータは、スケジュール用手書きデータＲＡＭ１５ｅに対するアドレスに従って手書きによるスケジュールデータとして読出され、手書きＶＲＡＭ１６に書込まれると共に、９４年４月のカレンダが展開されているＶＲＡＭ１７に対して転送されて展開合成され、液晶表示部１９に表示される。
【００５７】
一方、前記ステップＡ１〜Ａ４の処理を経て、液晶表示部１９に任意の年月のカレンダを表示させた状態で、例えば図５（Ｅ）に示すように、キー入力部１２における「▽」キー１２ｈ又は「△」キー１２ｉを操作すると、ＲＡＭ１５内のメモ用手書きデータＲＡＭ１５ｆに記憶されている手書きのメモデータが、前記キー操作に応じて順次選択的に読出されて手書きＶＲＡＭ１６に書込まれると共に、既にカレンダデータの展開されているＶＲＡＭ１７に転送されて展開合成され、液晶表示部１９に表示される（ステップＡ２０→Ａ２１）。
【００５８】
また、前記ステップＡ１〜Ａ４の処理を経て、液晶表示部１９に任意の年月のカレンダを表示させた状態で、キー入力部１２における「→」キー１２ｆ又は「←」キー１２ｇを操作すると、ＲＡＭ１５内のスケジュール用手書きデータＲＡＭ１５ｅに記憶されている手書きのスケジュールデータが、前記キー操作に応じて順次選択的に読出されて手書きＶＲＡＭ１６に書込まれると共に、既にカレンダデータの展開されているＶＲＡＭ１７に転送されて展開合成され、液晶表示部１９に表示される（ステップＡ２２→Ａ２３）。
【００５９】
すなわち、前記カレンダモードにおけるデータ出力処理では、液晶表示部１９に、ＶＲＡＭ１７に展開させて表示させた任意の年月のカレンダ画面に対して、そのカレンダ上でスケジュールの存在する日付を指定することで、該指定日に対応させてスケジュールデータレジスタ１５ｃに記憶されたスケジュールデータが読出され、手書きのスケジュールデータである場合でも、手書きＶＲＡＭ１６に書込まれると共に、ＶＲＡＭ１７に展開合成されてカレンダ上に合成表示されるようになる。
【００６０】
また、前記液晶表示部１９に表示させたカレンダ画面に対して、「▽」キー１２ｈや「△」キー１２ｉ、あるいは「→」キー１２ｆや「←」キー１２ｇを操作することで、メモ用手書きデータＲＡＭ１５ｆに記憶されている手書きメモデータ、あるいはスケジュール用手書きデータＲＡＭ１５ｅに記憶されている手書きスケジュールデータが選択的に読出され合成表示されるようになる。
【００６１】
したがって、前記構成による入力装置を搭載した電子手帳によれば、カレンダモードを設定して任意の年月のカレンダを生成し、ＶＲＡＭ１７に展開させて液晶表示部１９に表示させた状態で、タブレット入力部１３により手書きで任意の日付を指定してスケジュールデータを入力すると、その手書きスケジュールデータが手書きＶＲＡＭ１６に書込まれて前記ＶＲＡＭ１７に転送合成され、既に表示されているカレンダ画面上に重ねて表示され、キー入力部１２における「入力」キー１２ｂの操作により前記手書きスケジュールデータはスケジュール用手書きデータＲＡＭ１５ｅに記憶されると共に、その書込みアドレスがスケジュールデータレジスタ１５ｃにて前記指定された日付データに対応させて記憶管理されるので、例えば壁掛け用カレンダにユーザがペンでスケジュールを記入するのと同様にして、スケジュールの手書き入力及びそのデータ管理を行なうことができる。
【００６２】
つまり、タブレット入力部１３における手書きデータを、種々の動作モードに応じて液晶表示部１９に表示された画面上に合成させて処理できるので、手書きデータの利用用途を大幅に広げることができる。
【００６３】
【発明の効果】
以上のように、本発明の請求項１に係わる入力装置によれば、タッチ検出手段により検出された位置が、日付に対応した位置である場合に、その後タッチ操作による手書き入力に対応した手書きデータを日付と対応づけて記憶し、一旦、カレンダ初期表示させて、記手書きデータの表示のない月のカレンダを表示させた後に、日付をタッチすれば、その検出された日付に対応した手書きデータを適切に表示させることができる。
従って、タッチ操作によりカレンダの日付に対応づけて手書きデータを記憶させた後は、カレンダ初期表示により手書きデータを表示させないカレンダ表示を行え、その後タッチ操作によりカレンダの日付を指定すれば、カレンダに合成してその日付の手書きデータを適切に合成表示することができる。
【００６４】
また、本発明の請求項２に係わる入力装置によれば、さらに、タッチ検出手段により検出された位置が、日付に対応した位置でない場合には、その後タッチ操作による手書き入力に対応した手書きデータをカレンダの月と対応づけて記憶し、一旦、カレンダ初期表示させて、手書きデータの表示のない月のカレンダを表示させた後に、日付の位置以外がタッチ操作されれば、月に対応した手書きデータを適切に合成表示させることができる。
従って、月の手書きデータと、日付の手書きデータを区別して手書き入力でき、区別してタッチ操作でカレンダ上へ合成表示させることができる。
また、本発明の請求項３に係わる入力装置によれば、さらに、月に対応して文字・記号のコードデータを記憶し、手書きデータの表示のない月のカレンダを表示させた後に、日付の位置以外がタッチ操作されれば、月に対応したコードデータを適切にフォントとして合成表示させることができる。
【００６５】
よって、本発明によれば、手書き入力画面を、カレンダ表示画面等のその他の動作モードに伴なう表示画面と同時に利用することが可能になる入力装置を提供できる。
【図面の簡単な説明】
【図１】本発明の入力装置の実施例に係わる電子手帳の電子回路の構成を示すブロック図。
【図２】前記電子手帳のＲＡＭに備えられるレジスタの構成を示す図。
【図３】前記電子手帳におけるメモモード処理を示すフローチャート。
【図４】前記電子手帳におけるカレンダモード処理を示すフローチャート。
【図５】前記電子手帳におけるカレンダモード処理に伴なう表示動作を示す図。
【符号の説明】
１１  …ＣＰＵ、
１２  …キー入力部、
１２ａ…文字・記号入力キー、
１２ｂ…「入力」キー、
１２ｃ…「出力」キー、
１２ｄ…「↑」キー、
１２ｅ…「↓」キー、
１２ｆ…「→」キー、
１２ｇ…「←」キー、
１２ｈ…「▽」キー、
１２ｉ…「△」キー、
１３  …タブレット入力部、
１４  …ＲＯＭ、
１５  …ＲＡＭ、
Ｍ  …モードデータレジスタ、
１５ａ…日付レジスタ、
１５ｂ…時刻レジスタ、
１５ｃ…スケジュールデータレジスタ、
１５ｄ…メモデータレジスタ、
１５ｅ…スケジュール用手書きデータＲＡＭ、
１５ｆ…メモ用手書きデータＲＡＭ、
１６  …手書きＶＲＡＭ、
１７  …ＶＲＡＭ、
１８  …表示駆動回路、
１９  …液晶表示部。
【図１】
0003557478.tif 000002
【図２】
0003557478.tif 000003
【図３】
0003557478.tif 000004
【図４】
0003557478.tif 000005
【図５】
0003557478.tif 000006